(57)【要約】【課題】無人搬送車に対して好適な態様で通信を行うことができる、無人搬送車の通信システムを提供する。【解決手段】無人搬送車１０は自身を特定するための識別情報を有している。それに対し、端末６０は、読み込んだ識別情報に基づいて、無人搬送車１０の制御装置と通信可能となる。すなわち、端末６０は、識別情報を読み込むだけの簡単な操作で、通信対象となる無人搬送車１０をその場で特定することができる。そして、端末６０は、特定した無人搬送車１０に対して、管制塔１０１を介して通信を行うのではなく、無人搬送車１０に搭載された制御装置８０と直接通信を行うことができる。従って、作業者は、管制塔１０１へアクセスするときの回線の混雑などに関わることなく、対象となる無人搬送車１０の状態を速やかに把握することができる。【選択図】図４
2020150365.tif 000002
【特許請求の範囲】
【請求項１】
制御装置が搭載された無人搬送車と、
前記無人搬送車に搭載され前記制御装置に関する情報を授受する通信装置と、
前記通信装置と接続可能な端末と、を備える無人搬送車の通信システムであって、
前記無人搬送車は前記制御装置に関する識別情報を有し、
前記端末は、読み込んだ前記識別情報に基づいて、前記通信装置に対して通信可能となる、無人搬送車の通信システム。
【請求項２】
前記無人搬送車には、複数の前記制御装置が搭載され、
前記端末は前記識別情報に基づいて、それぞれの前記制御装置に関する情報を利用可能となる、請求項１に記載の無人搬送車の通信システム。
【請求項３】
前記無人搬送車は、複数の前記制御装置のそれぞれに対応して紐付けられた複数の前記識別情報を有し、
前記端末は、前記識別情報に対応して紐付けられた前記制御装置に関する情報を利用可能となる、請求項２に記載の無人搬送車の通信システム。
【請求項４】
前記端末は、前記識別情報で特定された複数の前記制御装置から少なくとも一つの制御装置を選択可能であり、選択された前記制御装置に関する情報を利用可能となる、請求項２に記載の無人搬送車の通信システム。
【請求項５】
前記端末と前記無人搬送車との通信は、近距離接続手段によって行なわれる、請求項１〜４の何れか一項に記載の無人搬送車の通信システム。
【発明の詳細な説明】
【技術分野】
【０００１】
本発明は、無人搬送車の通信システムに関する。
【背景技術】
【０００２】
従来、例えば特許文献１に記載されるような通信システムが知られている。この通信システムは、倉庫内の複数の装置を制御する搬送設備に用いられる。この通信システムは、倉庫内の複数の装置の制御部と無線通信可能なコンソール端末を備えている。このコンソール端末は、倉庫内のネットワークを利用して、各装置と通信可能となる。コンソール端末は、通信対象となる装置を選択し、当該装置から送信される表示情報を表示することができる。
【先行技術文献】
【特許文献】
【０００３】
【特許文献１】特開２０１５−２１４４０８号公報
【発明の概要】
【発明が解決しようとする課題】
【０００４】
ここで、複数の無人搬送車を用いたシステムにおいても、コンソール端末と各無人搬送車の制御装置と通信を行うことが求められる。すなわち、コンソール端末を利用する作業者が、作業を行いながら近くの無人搬送車の状態を容易に把握できるような通信システムが求められる。ここで、無人搬送車は、例えば港湾内において、予め設定された経路を走行し、船から降ろされたコンテナを所望の位置に搬送する車両として利用されている。このような無人搬送車を用いたシステムは、非常に広い敷地で構築されるシステムである。従って、上述の特許文献１のように、倉庫内の限られたスペースで用いられる通信システムを無人搬送車のシステムに適用した場合、通信システムが非常に複雑になってしまう。また、無人搬送車を管理する上位管理装置では、各無人搬送車の情報を取得することができるが、作業者は現場で無人搬送車の情報を直接取得することができない。そして、情報管理装置へアクセスして当該情報を取得する場合は、通信状態が混雑するという問題が発生する可能性がある。従って、無人搬送車に対して好適な態様で通信を行うことができる、他の通信システムが求められる。
【０００５】
本発明の目的は、無人搬送車に対して好適な態様で通信を行うことができる、無人搬送車の通信システムを提供することである。
【課題を解決するための手段】
【０００６】
本発明の一態様に係る無人搬送車の通信システムは、制御装置が搭載された無人搬送車と、無人搬送車に搭載され制御装置に関する情報を授受する通信装置と、通信装置と接続可能な端末と、を備える無人搬送車の通信システムであって、無人搬送車は制御装置に関する識別情報を有し、端末は、読み込んだ識別情報に基づいて、通信装置に対して通信可能となる。
【０００７】
無人搬送車の通信システムにおいては、無人搬送車は制御装置に関する識別情報を有している。それに対し、端末は、読み込んだ識別情報に基づいて、通信装置に対して通信可能となる。すなわち、端末は、識別情報を読み込むだけの簡単な操作で、通信対象となる通信装置を搭載する無人搬送車をその場で特定することができる。そして、端末は、上位管理装置などを介して通信を行うのではなく、無人搬送車に搭載されて制御装置に関する情報を授受する通信装置と直接通信を行うことができる。従って、作業者は、上位管理装置へアクセスするときの回線の混雑などに関わることなく、対象となる無人搬送車の制御装置の状態を速やかに把握することができる。また、作業者は、端末を用いて他の無人搬送車の通信装置とも通信可能であるため、無人搬送車自体に制御装置に対するコンソール等を設ける場合に比して、通信システム全体としての構成を簡易にすることができる。以上より、この通信システムによれば、無人搬送車に対して好適な態様で通信を行うことができる。
【０００８】
無人搬送車の通信システムでは、無人搬送車には、複数の制御装置が搭載され、端末は、識別情報に基づいて、それぞれの制御装置に関する情報を利用可能となってよい。これにより、作業者は、一つの端末を用いて、無人搬送車に搭載された複数の制御装置のそれぞれから情報を利用することができる。
【０００９】
無人搬送車は、複数の制御装置のそれぞれに対応して紐付けられた複数の識別情報を有し、端末は、識別情報に対応して紐付けられた制御装置に関する情報を利用可能となってよい。この場合、作業者は、把握したい制御装置に対応する識別情報を読み込むだけで、簡単に把握したい情報を利用することができる。
【００１０】
端末は、識別情報で特定された複数の制御装置から少なくとも一つの制御装置を選択可能であり、選択された制御装置に関する情報を利用可能となってよい。この場合、作業者は、一つの識別情報を読み込むだけで、無人搬送車内の複数の制御装置のうち、把握したい制御装置の情報を選択的に取得することができる。
【００１１】
端末と無人搬送車との通信は、近距離接続手段によって行なわれてよい。この場合、作業者は、広域なネットワークの混雑状況などの影響を受けず、近くにある無人搬送車と速やかに通信することができる。また、作業者にとっては、近くに存在している無人搬送車と通信できるため、誤って他の無人搬送車と通信することを抑制できる。
【発明の効果】
【００１２】
本発明によれば、無人搬送車に対して好適な態様で通信を行うことができる、無人搬送車の通信システムを提供することができる。
【図面の簡単な説明】
【００１３】
【図１】本発明の実施形態に係る無人搬送車の通信システムが用いられるコンテナターミナルの様子を示す概略平面図である。
【図２】図１に示すコンテナヤードでの無人搬送車の様子を示す概略側面図である。
【図３】識別情報が付与された無人搬送車の例を示す概略図である。
【図４】通信システムのシステム構成を示すブロック図である。
【図５】無人搬送車の制御装置の搭載状況を示す概念図である。
【図６】端末の操作画面の一例を示す図である。
【図７】識別情報が付与された無人搬送車の例を示す概略図である。
【図８】比較例に係る無人搬送車を示す概念図である。
【発明を実施するための形態】
【００１４】
以下、本発明の実施形態について、図面を参照して詳細に説明する。なお、図面において、同一または同等の要素には同じ符号を付し、重複する説明を省略する。
【００１５】
図１は、本発明の実施形態に係る無人搬送車１０の通信システム１００が用いられるコンテナターミナルの様子を示す概略平面図である。図２は、図１に示すコンテナヤードでの無人搬送車１０の様子を示す概略側面図である。まず、図１及び図２を参照して、無人搬送車１０の構成、及びコンテナヤードでの無人搬送車１０の動作態様について説明する。
【００１６】
図１に示すように、港湾におけるコンテナターミナルでは、外部司令部としての管制塔１０１（上位管理装置）からの指令Ｓ１により複数台の無人搬送車（ＡＧＶ）１０が予め定められた走行経路Ｒを走行している。無人搬送車１０は、管制塔１０１から無線により無人搬送車１０の走行状態を制御する指令Ｓ１を受け、走行経路Ｒを走行している。各無人搬送車１０は、指令Ｓ１によりコンテナＷの積載位置に停車する。クレーン１０３は、管制塔１０１により位置が制御されている。クレーン１０３は、コンテナＷを吊り下げた状態でコンテナＷの積載位置まで移動させられる。クレーン１０３の位置情報は、管制塔１０１にフィードバックされている。各無人搬送車１０には、コンテナ船１０２からコンテナＷがクレーン１０３で積み降ろされる。クレーン１０３により積み降ろされたコンテナＷが無人搬送車１０に搭載される。コンテナＷが搭載された無人搬送車１０は、走行経路Ｒに沿ってラバータイヤクレーン１０４まで走行する。ラバータイヤクレーン１０４により無人搬送車１０に搭載されたコンテナＷが降ろされる。コンテナＷが降ろされて空車となった無人搬送車１０は、走行経路Ｒに沿ってクレーン１０３まで戻る。
【００１７】
図２に示すように、無人搬送車１０の車体１１は、荷台２０と、複数の駆動輪３０と、複数のモータ４０とを備えている。荷台２０には、クレーン１０３により吊り下げられたコンテナＷを載置する載置面２１が設けられている。載置面２１は、水平に延びる平面状である。載置面２１は、コンテナＷの下面ｂｓよりも広く形成された四角形状をなしている。モータ４０は、駆動輪３０を動作させるための動力を発生する。モータ４０には、動力源としての走行用モータ４１と、操舵用モータ４２とが採用されている。走行用モータ４１は、無人搬送車１０を前後方向に走行させるための駆動力を発生する。操舵用モータ４２は、無人搬送車１０の進行方向を変更するべく駆動輪３０を操舵するための動力を発生する。
【００１８】
次に、本発明の実施形態に係る無人搬送車１０の通信システム１００について説明する。通信システム１００は、複数の無人搬送車１０の中から、特定の無人搬送車１０の制御装置を端末６０と通信可能とするシステムである。例えば、上述のように自動運転を行っている無人搬送車１０の中で、特定の無人搬送車１０の制御装置の状態を把握する必要が生じた場合、本実施形態に係る通信システム１００が用いられる。図１に示すように、通信システム１００は、複数の無人搬送車１０と、無人搬送車に搭載された通信装置（後述の近距離通信装置７１）と、複数の無人搬送車１０を管理する管制塔１０１と、通信装置と接続可能となる端末６０と、を備える。なお、図１には、端末６０が一つだけ示されているが、複数の作業者がそれぞれ端末６０を有することで、通信システム１００が複数の端末６０を備えていてもよい。
【００１９】
通信システム１００では、無人搬送車１０に対して個別に付与された識別情報を用いて、端末６０と通信可能となる通信装置が搭載された無人搬送車１０の決定がなされる。図３は、識別情報が付与された無人搬送車１０の例を示す概略図である。図３に示すように、無人搬送車１０には、各々の無人搬送車１０の制御装置に関する識別情報が付与されている。識別情報は、一つの無人搬送車１０に対して付与された固有の情報を少なくとも含んでよい。識別情報は、一つの無人搬送車１０を複数の無人搬送車１０の中から特定することができる情報である。これにより、識別情報は、どの無人搬送車１０に搭載された制御装置であるかを特定するのに用いることができる。図３に示す例では、ＱＲコード（登録商標）のマーク５５によって、識別情報が表現されている。マーク５５は、特殊図形として表現されることで、特定の情報を含むものである。マーク５５は、画像として読み込まれることによって、識別情報を含む特定の情報を把握できるように表示されたものである。なお、識別情報は、ＱＲコードの他、バーコードなど、読み込むことによって特定の内容を把握することができるような模様、記号の組み合わせなどで表現されていてもよい。または、識別情報は、文字や数字などによって、情報が直接的に表現されていてもよい。例えば、図３に示すように、識別情報は、無人搬送車１０に付与された号機ナンバーが車体１１に設定された号機表示部５６に直接記載されることで表現されてもよい。
【００２０】
マーク５５は、無人搬送車１０の車体１１に表示されている。ここでは、マーク５５は、車体１１の側面１１ａに表示されている。また、号機表示部５６も、車体１１の側面１１ａに表示されている。なお、マーク５５及び号機表示部５６を表示する位置や個数は特に限定されるものではなく、車体１１の端面１１ｂにも表示してもよく、側面１１ａ及び端面１１ｂに複数のマーク５５及び号機表示部５６が表示されてもよい。
【００２１】
次に、図４を参照して、本発明の実施形態に係る無人搬送車１０の通信システム１００のシステム構成について説明する。図４は、通信システム１００のシステム構成を示すブロック図である。
【００２２】
図４に示すように、無人搬送車１０は、近距離通信装置７１と、複数の制御装置８０と、を備える。
【００２３】
近距離通信装置７１は、無人搬送車１０に搭載され制御装置８０に関する情報を授受する装置である。近距離通信装置７１は、複数の制御装置８０から、各々の制御装置８０に関する情報を受け取る。また、近距離通信装置７１は、端末６０と通信を行うための信号のやり取りを行う部分である。近距離通信装置７１は、端末６０との間で、各種情報の送受信を行う。近距離通信装置７１は、通信相手の端末６０が所定の範囲内に存在するときに、互いの通信状態が確立される。電波状態に関わらず、無人搬送車１０と端末６０とが近接したときに通信状態を構築できるように、近距離通信装置７１としてＢｌｕｅｔｏｏｔｈ（登録商標）などの近距離接続手段が用いられることが好ましい。ここで述べる近距離や所定の範囲とは、端末６０が無人搬送車１０の近距離通信装置７１と通信できる程度の距離とその範囲であり、例えばコンテナターミナルの敷地外から端末６０と近距離通信装置７１とが通信ができるような距離は含めない。なお、近距離通信装置７１による接続状態の構築方法は特に限定されず、Ｗｉ−Ｆｉであってもよい。その他、所定の範囲内は近距離に限らず、コンテナターミナルの敷地内で通信するために最適化された、４Ｇ通信や５Ｇ通信などの方法を採用してよい。
【００２４】
制御装置８０は、無人搬送車１０の車体１１の内部に搭載された装置である。制御装置８０は、無人搬送車１０において、特定の機能を発揮するために組み込まれた装置である。また、制御装置８０は、自身の状態を示す独自の情報を有している。これらの情報は、作業者がメンテナンスや点検などのタイミングで確認する必要が生じるものである。制御装置８０の状態を示す情報として、稼働時間、異常履歴、センサのＩＯ情報、その他、エネルギーの残量（バッテリーの蓄電量）、操舵角、タイヤの空気圧、リフタ（荷や機台そのものを昇降させる装置）の高さなどの情報が挙げられる。図４においては、無人搬送車１０は、制御装置８０として、具体的に、駆動管理装置８１、ナビゲーション装置８２、電気系統管理装置８３などを備えている。その他、無人搬送車１０は、リフタの制御装置など、必要に応じて他の制御装置を有してもよい。
【００２５】
駆動管理装置８１は、無人搬送車１０のモータの駆動などを管理する装置である。駆動管理装置８１は、無人搬送車１０を所望の方向、速度で走行させるために、駆動部を制御すると共に、このような走行の履歴を保存する。ナビゲーション装置８２は、無人搬送車１０が自動走行を行うときに、無人搬送車１０がどのような経路を搬送すればよいかを案内する装置である。ナビゲーション装置８２は、管制塔１０１と通信を行うことができ、管制塔１０１からの指示に従って、無人搬送車１０のナビゲーションを行う。なお、ナビゲーション装置８２は、端末６０との間で通信を行うための装置ではない。電気系統管理装置８３は、無人搬送車１０の電気系統の管理を行う装置である。例えば、電気系統管理装置８３は、エンジン発電機の管理を行うことができる。
【００２６】
図５（ａ）に示すように、これらの制御装置８０に関する情報は、近距離通信装置７１との間で通信状態が確立された端末６０にて利用可能となる。各制御装置８０は、近距離通信装置７１と接続されており、当該近距離通信装置７１を介して端末６０に情報を利用される。なお、近距離通信装置７１は、制御装置８０に内蔵されていても、無人搬送車１０に搭載された状態で制御装置８０に対して別途設けられていてもよい。
【００２７】
図４に示すように、端末６０は、情報処理部６１と、撮影部６２と、入力部６３と、出力部６４と、を備える。端末６０として、例えば、スマートフォン、タブレット端末などの汎用機器が用いられてよい。端末６０として汎用機器を用いる場合、作業者は、端末６０に専用のアプリケーションをインストールする。また、端末６０として、無人搬送車１０の通信システム１００のための専用の端末が採用されてもよい。
【００２８】
撮影部６２は、撮影を行うことによって画像を取得する部分である。撮影部６２は、端末６０に内臓されたカメラなどに構成されている。なお、撮影部６２として、外付けのカメラを用いてもよい。入力部６３は、作業者からの操作入力を受ける部分である。入力部６３は、タッチパネルや、音声認識を行うためのマイクなどによって構成される。出力部６４は、作業者に対して情報を出力する部分である。出力部６４は、モニタや、スピーカーなどによって構成される。
【００２９】
情報処理部６１は、無人搬送車１０を操作するための各種処理を行う部分である。情報処理部６１は、プロセッサ、メモリ、及びストレージを備えて構成されている。プロセッサは、ＣＰＵ（Ｃｅｎｔｒａｌ  Ｐｒｏｃｅｓｓｉｎｇ  Ｕｎｉｔ）などの演算器である。メモリは、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶媒体である。ストレージは、ＨＤＤ（Ｈａｒｄ  Ｄｉｓｋ  Ｄｒｉｖｅ）などの記憶媒体である。プロセッサは、メモリ、ストレージ、通信インターフェース及びユーザインターフェースを統括し、後述する情報処理部６１の機能を実現する。情報処理部６１では、例えば、ＲＯＭに記憶されているプログラムをＲＡＭにロードし、ＲＡＭにロードされたプログラムをＣＰＵで実行することにより各種の機能を実現する。
【００３０】
情報処理部６１は、通信状態制御部６５と、操作制御部６６と、通信部６７と、を備える。
【００３１】
通信状態制御部６５は、特定の無人搬送車１０の近距離通信装置７１に対する端末６０による通信状態を制御する部分である。通信状態制御部６５は、撮影部６２の画像から読み込んだ識別情報に基づいて、無人搬送車１０の近距離通信装置７１と通信可能とする。通信状態制御部６５は、撮影部６２によって取得された画像中の識別情報から、対象となる無人搬送車１０を特定する。そして、通信状態制御部６５は、特定した無人搬送車１０の近距離通信装置７１との通信が可能になるように、通信部６７を制御する。通信状態制御部６５は、特定した無人搬送車１０の近距離通信装置７１との間で通信状態を確立するように、通信部６７を制御する。なお、遠すぎる等の理由により通信状態を確立できない場合、または画像中のマーク５５や号機ナンバーが小さすぎて識別情報を特定できない場合、通信状態制御部６５は、出力部６４から作業者に対し注意喚起を行う。
【００３２】
通信部６７は、他の機器と通信を行うための信号のやり取りを行う部分である。通信部６７は、無人搬送車１０の近距離通信装置７１との間で、各種情報の送受信を行う。通信部６７は、無人搬送車１０の近距離通信装置７１にて採用されている近距離接続手段に対応する手段にて、通信を行う。
【００３３】
操作制御部６６は、通信状態が確立した無人搬送車１０の近距離通信装置７１との間の情報のやりとりを行う際に、端末６０での操作を制御する部分である。また、操作制御部６６は、無人搬送車１０の近距離通信装置７１と通信を行うに際して、作業者が操作を行い易くなるような情報を出力部６４から出力する。
【００３４】
ここで、図６及び図７を参照して、操作制御部６６の制御態様について説明する。上述のように、無人搬送車１０には、複数の制御装置８０が搭載されている。従って、端末６０は、複数の制御装置８０に関する情報のそれぞれを表示することができる。ここで、図５に示すように、無人搬送車１０は、複数の制御装置８０のそれぞれに対応して紐付けられた複数の識別情報を含むマーク５５を有する場合がある。このとき、端末６０は、識別情報に対応して紐付けられた制御装置８０に関する情報を表示する。
【００３５】
例えば、図５に示すマーク５５Ａは、無人搬送車１０の識別情報に加え、駆動管理装置８１を特定する情報を含んでよい。マーク５５Ｂは、無人搬送車１０の識別情報に加え、ナビゲーション装置８２を特定する情報を含んでよい。マーク５５Ｃは、無人搬送車１０の識別情報に加え、電気系統管理装置８３を特定する情報を含んでよい。この場合、操作制御部６６は、撮影部６２でマーク５５Ｂが読み込まれた場合、通信部６７及び近距離通信装置７１を介して、ナビゲーション装置８２から状態を示す情報を引き出す。そして、図６（ａ）に示すように、操作制御部６６は、画面９１上にて、対象となっている制御装置８０（ここではナビゲーション装置８２）を示すと共に、当該制御装置８０の情報を示す。他のマーク５５Ａ，５５Ｂが読み込まれた場合は、それに対応する制御装置８０について、同様の処理がなされる。
【００３６】
また、端末６０は、識別情報で特定された複数の制御装置８０から少なくとも一つの制御装置８０を選択可能であり、選択された制御装置８０に関する情報を利用可能となる。例えば、図３に示すように、無人搬送車１０が単一の模様のマーク５５を有している。このマーク５５は、無人搬送車１０の識別情報を含むが、制御装置８０を特定する情報は含まれていない。この場合、操作制御部６６は、無人搬送車１０の各制御装置８０から状態を示す情報を取得する。次に、操作制御部６６は、図６（ｂ）に示すように、作業者に対して、どの制御装置８０の情報が欲しいかを選択させるような内容を画面９１に表示する。そして、作業者が制御装置８０を選択したら、操作制御部６６は、図６（ａ）に示すように、選択された制御装置８０に対応する情報を画面９１に表示する。なお、操作制御部６６は、制御装置８０の選択がなされてから、選択された制御装置８０の情報を取得してもよい。
【００３７】
次に、本実施形態に係る無人搬送車１０の通信システム１００の作用・効果について説明する。
【００３８】
無人搬送車１０の通信システム１００においては、無人搬送車１０は制御装置８０に関する識別情報を有している。それに対し、端末６０は、読み込んだ識別情報に基づいて、無人搬送車１０の近距離通信装置７１と通信可能となる。すなわち、端末６０は、識別情報を読み込むだけの簡単な操作で、通信対象となる近距離通信装置７１を搭載する無人搬送車１０をその場で特定することができる。そして、端末６０は、管制塔１０１を介して通信を行うのではなく、無人搬送車１０に搭載されたて制御装置８０に関する情報を授受する近距離通信装置７１と直接通信を行うことができる。従って、作業者は、管制塔１０１へアクセスするときの回線の混雑などに関わることなく、対象となる無人搬送車１０の制御装置８０の状態を速やかに把握することができる。
【００３９】
また、作業者は、端末６０を用いて他の無人搬送車１０の近距離通信装置７１とも通信可能であるため、無人搬送車１０自体に制御装置に対するコンソール等を設ける場合に比して、通信システム全体としての構成を簡易にすることができる。例えば、比較例に係る無人搬送車１２０の概略構成を図５（ｂ）及び図７に示す。比較例に係る無人搬送車１２０は、車体１１に搭載されている制御装置８０に対応するコンソール１２２が設けられている。このようなコンソールは、走行する車体１１に取り付けられるものであるため、耐衝撃性、耐振動性が要求されるため、高額ものが用いられる。特に、車体１１の側面などに設けられるコンソール１２２は、防塵性、防水性、及び耐紫外線性も要求されるため、且つ、制御装置８０自体の構造も複雑化するため、更に高額となる。その一方、無人搬送車１０は自動走行を行う車であって人間が直接操作することが少ないものであるため、コンソール１２２の使用頻度は低い。すなわち、コンソール１２２は、使用頻度の割に高額になるという問題がある。そして、一台の無人搬送車１０の中には、複数の制御装置８０が搭載される。この場合、一台あたりの無人搬送車１０に対してコンソール１２２が複数必要になり、更に高額化する。これに対し、図５（ａ）に示すように、本実施形態に係る通信システム１００では、各制御装置８０に高額なコンソール１２２を設けなくとも、一つの端末６０だけで、各制御装置８０に関する情報を授受する近距離通信装置７１と通信することができる。以上より、この通信システム１００によれば、無人搬送車１０に対して好適な態様で通信を行うことができる。
【００４０】
無人搬送車１０の通信システム１００では、無人搬送車１０には、複数の制御装置８０が搭載され、端末６０は、識別情報に基づいて、それぞれの制御装置８０に関する情報を利用可能とする。これにより、作業者は、一つの端末６０を用いて、無人搬送車１０に搭載された複数の制御装置８０のそれぞれから情報を利用することができる。
【００４１】
無人搬送車１０は、複数の制御装置８０のそれぞれに対応して紐付けられた複数の識別情報を有し、端末６０は、識別情報に対応して紐付けられた制御装置８０に関する情報を利用可のとなっている。この場合、作業者は、把握したい制御装置８０に対応する識別情報を読み込むだけで、簡単に把握したい情報を利用することができる。
【００４２】
端末６０は、識別情報で特定された複数の制御装置８０から少なくとも一つの制御装置８０を選択可能であり、選択された制御装置８０に関する情報を利用可能となる。この場合、作業者は、一つの識別情報を読み込むだけで、無人搬送車１０内の複数の制御装置８０のうち、把握したい制御装置８０の情報を選択的に取得することができる。
【００４３】
端末６０と無人搬送車１０との通信は、近距離接続手段によって行なわれる。この場合、作業者は、広域なネットワークの混雑状況などの影響を受けず、近くにある無人搬送車１０と速やかに通信することができる。また、作業者にとっては、近くに存在している無人搬送車１０と通信できるため、誤って他の無人搬送車１０と通信することを抑制できる。
【００４４】
本発明は、上述の実施形態に限定されるものではない。
【００４５】
例えば、上述の実施形態では、無人搬送車１０は複数の制御装置８０を有していたが、複数の機能が統合されることで、一つの制御装置８０だけを有していてよい。
【符号の説明】
【００４６】
１０…無人搬送車、５５…マーク（識別情報）、６０…端末、７１…近距離通信装置（通信装置）、８０…制御装置、１００…通信システム、１０１…管制塔（上位管理装置）。
【図１】
2020150365.tif 000003
【図２】
2020150365.tif 000004
【図３】
2020150365.tif 000005
【図４】
2020150365.tif 000006
【図５】
2020150365.tif 000007
【図６】
2020150365.tif 000008
【図７】
2020150365.tif 000009
【図８】
2020150365.tif 000010